(57)【要約】【課題】被固定体への収まりが良好な筆記具を提供する。【解決手段】クリップ４０は、筒状部３１の外周面から、この外周面の法線方向（図中Ｘと表示）に突出して配置されている。また、上記法線方向に直交する方向（図中Ｙと表示）に開く関係にある第１のクリップ片４１ａ、第２のクリップ片４１ｂを備えている。さらに、クリップ４０は、第１のクリップ片４１ａと第２のクリップ片４１ｂとを跨る形で配設され、第１のクリップ片４１ａおよび第２のクリップ片４１ｂの一端部にて、第１のクリップ片４１ａと第２のクリップ片４１ｂとを接続する接続部４１ｃを備えている。さらに、クリップ４０は、第１のクリップ片４１ａ、第２のクリップ片４１ｂ、および接続部４１ｃからキャップ本体部３０に向かって延設される形で設けられ、筒状部３１と固定部材３２とによって支持される支持部４１ｄを備えている。【選択図】図１
2009045853.tif 000002
【特許請求の範囲】
【請求項１】
軸体と、
前記軸体の法線方向に突出するとともに、当該法線方向に直交する方向に開く関係にある第１のクリップ片と第２のクリップ片とを備えたクリップ部と、
を含む筆記具。
【請求項２】
前記第１のクリップ片と前記第２のクリップ片とが接触する接触面は、前記軸体の一端部側から他端部側に向かう方向に沿って形成されることを特徴とする請求項１記載の筆記具。
【請求項３】
前記クリップ部は、前記第１のクリップ片および前記第２のクリップ片のうちの一方のクリップ片を他方のクリップ片に付勢する付勢部材を更に備えることを特徴とする請求項１又は２に記載の筆記具。
【請求項４】
前記第１のクリップ片および前記第２のクリップ片は、個別に前記軸体に取り付けられていることを特徴とする請求項１〜３記載の筆記具。
【請求項５】
前記第１のクリップ片と前記第２のクリップ片は、複数箇所にて接触していることを特徴とする請求項１〜４記載の筆記具。
【請求項６】
前記第１のクリップ片および／または前記第２のクリップ片は、前記軸体と一体に形成されていることを特徴とする請求項１〜５記載の筆記具。
【請求項７】
前記軸体を被固定体に対して固定する前記クリップ部は、当該被固定体の端面が当該軸体に面するように当該被固定体に対して当該軸体を固定することを特徴とする請求項１〜６記載の筆記具。
【請求項８】
前記軸体を被固定体に対して固定する前記クリップ部は、当該被固定体との滑りを抑制する抑制部を更に備えることを特徴とする請求項１〜７記載の筆記具。
【発明の詳細な説明】
【技術分野】
【０００１】
本発明は、ボールペン、シャープペンシルなどの筆記具に関する。
【背景技術】
【０００２】
衣服等を傷つけることなく万年筆を固定可能とするため、クリップをキャップの外周面に圧接するコイルスプリングを設けた万年筆キャップが提案されている（例えば、特許文献１参照）。また、キャップからクリップが突出していると筆記に際しクリップが邪魔となることから、キャップ本体の外側に、筒体を縦方向に分割した形状のクリップ片を複数被せ、各クリップ片が外方へ回動し得るように構成したキャップが提案されている（例えば、特許文献２参照）。さらには、金属材料よりなる線状体を折り曲げることで、取付部、クリップ本体部などを形成し、取付部を被取付部に溶接可能に形成してなるクリップが提案されている（例えば、特許文献３参照）。
【０００３】
【特許文献１】特公昭３７−５４１４号公報
【特許文献２】実公昭５９−１７６７６号公報
【特許文献３】実開昭５７−９５８４号公報
【発明の開示】
【発明が解決しようとする課題】
【０００４】
ところで、一般的に筆記具は、クリップとキャップ等との間に形成された間隙によって被固定体に固定される。このような形態の場合、シャツに設けられたポケットなどに対しては良好な固定を行うことができる。ところが、手帳などに固定する場合には、手帳の表面から筆記具が大きく突出し収まりが悪くなってしまう。
本発明は、以上のような技術的課題を解決するためになされたものであり、その目的とするところは、被固定体への収まりが良好な筆記具を提供することにある。
【課題を解決するための手段】
【０００５】
かかる目的のもと、本発明が適用される筆記具は、軸体と、軸体の法線方向に突出するとともに、法線方向に直交する方向に開く関係にある第１のクリップ片と第２のクリップ片とを備えたクリップ部と、を含む。
ここで、クリップ部は、第１のクリップ片と第２のクリップ片との間にクリップ部の外部に通じた間隙を有していることを特徴とすることができる。また、第１のクリップ片および第２のクリップ片は、軸体との間に間隙を有した状態で設けられていることを特徴とすることができる。さらに、第１のクリップ片および第２のクリップ片は、軸体の一端部側から他端部側に向かう方向に沿って設けられていることを特徴とすることができる。また、第１のクリップ片と第２のクリップ片とが接触する接触面は、軸体の一端部側から他端部側に向かう方向に沿って形成されることを特徴とすることができる。さらに、クリップ部は、第１のクリップ片および第２のクリップ片のうちの一方のクリップ片を他方のクリップ片に付勢する付勢部材を更に備えることを特徴とすることができる。
【０００６】
また、付勢部材は、クリップ部に着脱可能に設けられていることを特徴とすることができる。さらに、第１のクリップ片および第２のクリップ片は、個別に軸体に取り付けられていることを特徴とすることができる。また、第１のクリップ片と第２のクリップ片は、複数箇所にて接触していることを特徴とすることができる。さらに、第１のクリップ片と第２のクリップ片との複数の接触部は、軸体の一端部側から他端部側に向かう方向に沿って設けられていることを特徴とすることができる。また、第１のクリップ片および／または第２のクリップ片は、軸体と一体に形成されていることを特徴とすることができる。また、軸体を被固定体に対して固定するクリップ部は、被固定体の端面が軸体に面するように被固定体に対して軸体を固定することを特徴とすることができる。さらに、軸体を被固定体に対して固定するクリップ部は、被固定体との滑りを抑制する抑制部を更に備えることを特徴とすることができる。
【０００７】
他の観点から捉えると、本発明が適用される筆記具は、軸体と、被固定体に対して軸体を固定する固定部と、を備え、固定部は、被固定体が軸体から立ち上がる向きとなるように被固定体に対して軸体を固定することを特徴とする。
ここで、軸体は、筆記具本体部又は筆記具本体部に取り付けられるキャップであることを特徴とすることができる。また、固定部は、被固定体の端面が軸体に面するように被固定体に対して軸体を固定することを特徴とすることができる。さらに、固定部と被固定体との滑りを抑制する抑制部を更に備えることを特徴とすることができる。
【０００８】
さらに、本発明を構造体と捉えた場合、筆記具に用いられる軸体に、第１のクリップ片と第２のクリップ片とを備え軸体を被固定体に固定するクリップを取り付けた構造体であって、クリップは、第１のクリップ片と第２のクリップ片とによって被固定体の側部を挟み軸体を被固定体に固定することを特徴とする。
【発明の効果】
【０００９】
本発明によれば、本発明の構成を採用しない場合に比べ、被固定体への収まりが良好な筆記具を提供することができる。
【発明を実施するための最良の形態】
【００１０】
―第１の実施形態―
以下、添付図面を参照して、本発明の第１の実施の形態について詳細に説明する。
図１は、本発明が適用される筆記具の全体構成を示す図である。なお、図１（ａ）は、左側面図を示し、図１（ｂ）は、正面図を示している。
本実施形態における筆記具１は、ボールペンであり、図１（ａ）に示すように、内部にインクを保持（収納）するとともに紙面等の被筆記面に対してインクを供給する本体部１０と、本体部１０の着脱可能に取り付けられたキャップ２０とを備えている。
【００１１】
本体部１０は、被筆記面に対してインクを供給する供給部１１と、供給部１１に対して供給されるインクを内部に保持する保持部１２とを備えている。
本実施形態における供給部１１（筆記尖端）は、所謂円錐形状のボールペンチップで構成されており、先端部にボールを回転可能な状態で保持している。なお、供給部１１には、パイプ状部材の先端にボールを回転可能な状態で保持したものや、繊維等を用い毛細管力を利用して被筆記面に対しインクを供給するものなど、従来から用いられているものを使用することができる。
【００１２】
本実施形態における保持部１２は、円筒状且つ長尺状で形成されており、上記のとおり、その内部に供給部１１に対して供給されるインクを保持している。詳細には、保持部１２は、その内部に、毛細管力などを利用してインクを保持するインク保持体（不図示）を備えており、このインク保持体を用いてインクを保持している。なお、このインク保持体は、例えば、複数本の繊維と、この複数本の繊維を覆うフィルムとにより構成される。また、保持部１２は、内部に、インク保持体から供給部１１に対してインクを誘導する誘導芯（不図示）を備えている。
【００１３】
さらに、保持部１２は、その外周面に、筆記の際にユーザ等に把持される把持部（グリップ部）１２ａ、キャップ２０のずれ防止やキャップ２０の位置決めを行う突起１２ｂ、インクが消費された際に内部に空気を導入する空気導入口（不図示）なども備えている。なお、本実施形態では、インク保持体を用いた例を説明したが、インク保持体を設けずインクを直接収納する所謂直液式の筆記具とすることもできるし、内部にインクを収納したリフィールを備える筆記具とすることもでき、その形態については特に限定されるものではない。また、インクなどについても、従来から用いられているものを適宜使用することができる。
【００１４】
次に、キャップ２０について説明する。
本実施形態におけるキャップ２０は、キャップ本体部３０とクリップ４０とから主要部が構成されている。
ここで、キャップ本体部３０は、両端部に開口を備えるとともに円筒状且つ長尺状に形成された軸体の一例としての筒状部３１と、筒状部３１の一端部側を閉塞するとともにクリップ４０を筒状部３１の一端部側に固定する固定部材３２とから構成されている。キャップ本体部３０は、その内部に本体部１０が挿入された場合に、供給部１１の保護などを行う。
【００１５】
固定部の一例としてのクリップ４０は、筆記具１を、本、ノート、手帳などに固定する機能を有している。
ここで、本実施形態におけるクリップ４０は、筒状部３１の外周面から、この外周面の法線方向（図中Ｘと表示）に突出して配置されている。また、クリップ４０は、上記法線方向に直交する方向（図中Ｙと表示）に開く関係にある第１のクリップ片４１ａ、第２のクリップ片４１ｂを備えている。また、クリップ４０は、第１のクリップ片４１ａと第２のクリップ片４１ｂとを跨る形で配設され、第１のクリップ片４１ａおよび第２のクリップ片４１ｂの一端部にて、第１のクリップ片４１ａと第２のクリップ片４１ｂとを接続する接続部４１ｃを備えている。さらに、クリップ４０は、第１のクリップ片４１ａ、第２のクリップ片４１ｂ、および接続部４１ｃからキャップ本体部３０に向かって延設される形で設けられ、筒状部３１と固定部材３２とによって支持される支持部４１ｄを備えている。
【００１６】
第１のクリップ片４１ａは、図１（ａ）のように側面から見た場合に、キャップ本体部３０の軸方向に沿って設けられ、また、矩形状に形成されている。また、第１のクリップ片４１ａは、弾性変形可能なステンレス等の金属により形成されている。さらに、第１のクリップ片４１ａは、長手方向における複数の位置にて曲げ加工が施され、所定の形状を有する状態となっている。詳細には、第１のクリップ片４１ａは、図１（ｂ）に示すように、接続部４１ｃが配設された一端部側では第２のクリップ片４１ｂに略平行となり、第２のクリップ片４１ｂとの間に一定の間隙４１ｆが形成されるように平坦状に形成されている。なお、この間隙４１ｆは、筆記具１の外方側およびキャップ本体部３０側に開口を備え、外部に通じるように形成されている。
【００１７】
また、第１のクリップ片４１ａは、他端部に向かうに従い第２のクリップ片４１ｂに接近し他端部近傍にて第２のクリップ片４１ｂに接触するように形成されている。さらに、第２のクリップ片４１ｂとの接触部から他端部に向かうに従い第２のクリップ片４１ｂから離れるように湾曲して形成されている。また、第１のクリップ片４１ａは、正面から見た場合にも、キャップ本体部３０の一端部側から他端部側に向かう方向に沿って設けられている。更に説明を加えれば、第１のクリップ片４１ａは、クリップ４０側から筆記具１の投影を行った場合に、影が映しだされない位置に設けられている。
【００１８】
第２のクリップ片４１ｂは、筒状部３１の周方向において、第１のクリップ片４１ａの対向位置に設けられている。また、第２のクリップ片４１ｂは、図１（ａ）のように側面から見た場合に、キャップ本体部３０の軸方向に沿って設けられ、また、矩形状に形成されている。さらに、第２のクリップ片４１ｂは、弾性変形可能なステンレス等の金属により形成されている。また、第２のクリップ片４１ｂは、長手方向における複数の位置にて曲げ加工が施され所定の形状を有した状態となっている。
【００１９】
詳細には、第２のクリップ片４１ｂは、図１（ｂ）に示すように、接続部４１ｃが配設された一端部側では第１のクリップ片４１ａに略平行となり、第１のクリップ片４１ａとの間に一定の間隙４１ｆが形成されるように平坦状に形成されている。また、第２のクリップ片４１ｂは、他端部に向かうに従い第１のクリップ片４１ａに接近し他端部近傍にて第１のクリップ片４１ａに接触するように形成されている。なお、第１のクリップ片４１ａと第２のクリップ片４１ｂとの接触面は、キャップ本体部３０の一端部側から他端部側に向かう方向に沿って設けられている。更に詳細には、第１のクリップ片４１ａと第２のクリップ片４１ｂとの接触面は、キャップ本体部３０の軸方向に沿って設けられている。
【００２０】
さらに、第２のクリップ片４１ｂは、第１のクリップ片４１ａとの接触部から他端部に向かうに従い第１のクリップ片４１ａから離れるように湾曲して形成されている。また、第２のクリップ片４１ｂは、正面から見た場合にも、キャップ本体部３０の一端部側から他端部側に向かう方向に沿って設けられている。更に説明を加えれば、第２のクリップ片４１ｂは、クリップ４０側から筆記具１の投影を行った場合に、影が映しだされない位置に設けられている。
【００２１】
接続部４１ｃは、薄板状に形成されるとともに、キャップ本体部３０の軸方向に直交する方向に沿うように設けられている。また、接続部４１ｃは、第１のクリップ片４１ａ、第２のクリップ片４１ｂ、および接続部４１ｃにより囲まれた領域に面する内側面４１ｅがキャップ本体部３０の端部３１ａの近傍に、より詳細には、端部３１ａとほぼ同一の面上に位置するように設けられている。
【００２２】
支持部４１ｄは、上記のとおり、第１のクリップ片４１ａ、第２のクリップ片４１ｂ、および接続部４１ｃからキャップ本体部３０に向かって延設される形で設けられ、キャップ本体部３０によって支持される。より詳細には、支持部４１ｄは、第１のクリップ片４１ａ等における一端部（キャップ本体部３０の閉塞側における端部）からキャップ本体部３０に延設される形で設けられ、キャップ本体部３０によって支持される。このため、本実施形態におけるキャップ２０は、キャップ本体部３０の外周面と第１のクリップ片４１ａとの間、およびキャップ本体部３０の外周面と第２のクリップ片４１ｂとの間に、間隙２１が形成される。
【００２３】
図２は、筆記具１を手帳に取り付けた場合の状態を示している。なお、図２（ａ）は、本実施形態における筆記具１を手帳６０に取り付けた場合の左側面図、正面図、および上面図を示し、図２（ｂ）は、従来の筆記具１００を手帳６０に取り付けた場合の左側面図、正面図を示している。
【００２４】
ここで、従来の筆記具１００におけるキャップ１１０は、一般的に、キャップ本体部１２０と、キャップ本体部１２０に対向配置され弾性変形可能な１つのクリップ片１３０とから構成される。なお、この従来の筆記具１００は、キャップ本体部１２０の端部１２１から離れた位置にて、キャップ本体部１２０とクリップ片１３０とが固定されている。
表紙６１を備え、矩形状、ブック状に形成された一般的な手帳６０に筆記具１００が固定される場合、一般的には、キャップ本体部１２０が表紙６１の外方側に配置され、クリップ片１３０が表紙６１の内側に配置される。
【００２５】
しかしながら、この場合、手帳６０の厚み方向における筆記具１００の突出量Ａ１が大きくなるとともに、全体の厚みＢ１も増してしまう。また、キャップ本体部１２０の端部１２１から離れた位置にて、キャップ本体部１２０とクリップ片１３０とが固定されているため、表紙６１の上部からの突出量Ｃ１も大きいものとなってしまう。従来の筆記具１００は、シャツの胸ポケット等への固定には適しているが、手帳やノートなどに固定される場合には、このように突出量が大きくなってしまう。さらに、キャップ本体部１２０は、肉厚が大きく容易に変形しない状態、即ち剛体と見なせる状態となっているため、表紙６１を挟む際にはほとんど変形しない。このため、従来の筆記具１００の固定は、１つのクリップ片１３０の変形に主に依存する。
【００２６】
一方、本実施形態における筆記具１を手帳６０に固定する場合、同図（ａ）に示すように、第１のクリップ片４１ａおよび第２のクリップ片４１ｂが、表紙６１（被固定体の一例）の側部６２を挟む状態となるため、筆記具１は手帳６０の側方位置に配置される。また、図２（ａ）の上面図に示すように、表紙６１は、キャップ本体部３０の外周面から立ち上がるように配設される。換言すれば、表紙６１は、キャップ本体部３０の外周面に対し突き当たるように配設される。さらに、表紙６１の端面６３が、キャップ本体部３０の外周面を向く状態（対向する状態）となる。
【００２７】
このため、本実施形態では、手帳６０の厚み方向における筆記具１の突出量Ａ２を従来の筆記具１００に比べ小さいものとすることができる。また、全体の厚みＢ２も従来の筆記具１００に比べ小さいものとすることができる。更に、本実施形態における筆記具１は、接続部４１ｃにおける内側面４１ｅ（図１参照）が、端部３１ａとほぼ同一の面上に位置するように設けられているため、表紙６１の上部からの突出量Ｃ２も従来の筆記具１００に比べ小さいものとすることができる。
【００２８】
また、本実施形態では、第１のクリップ片４１ａおよび第２のクリップ片４１ｂの両者が、弾性変形可能な構成となっている。このため、従来の筆記具１００に比べ、より厚みのあるものに対して筆記具１を固定することができる。さらには、従来の筆記具１００に比べ、第１のクリップ片４１ａおよび第２のクリップ片４１ｂにおける応力を減少することができ、従来の筆記具１００に比して、クリップ片の破損などを抑制できる。また、本実施形態における筆記具１は、間隙２１（図１参照）を有しているため、従来の筆記具１００と同様にシャツの胸ポケットなどへの固定も可能である。さらには、本実施形態における筆記具１は、間隙４１ｆ（図１参照）を有しているため、表紙６１への筆記具１の固定をスムーズに行うことができる。
【００２９】
―第２の実施形態―
次に、第２の実施形態について説明する。ここで、図３は、第２の実施形態における筆記具１を示した図である。なお、図３（ａ）は、筆記具１の左側面図を示し、図３（ｂ）は、筆記具１の正面図を示している。また、第１の実施形態と同様の機能については、同様の符号を用いここではその説明を省略する。
【００３０】
本実施形態におけるクリップ４０は、第１の実施形態と同様に、互いに対向配置された第１のクリップ片４２ａ、第２のクリップ片４２ｂを備えている。また、クリップ４０は、第１のクリップ片４２ａおよび第２のクリップ片４２ｂを回転（揺動）可能に支持する支持部４２ｄ、第１のクリップ片４２ａと第２のクリップ片４２ｂとの間に配置され両クリップ片に対して押圧力を付与するコイルスプリング４２ｃを備えている。さらに、第１のクリップ片４２ａの一端部に配置され第２のクリップ片４２ｂに接触する第１側接触部４２ｅと、第２のクリップ片４２ｂの一端部に配置され第１側接触部４２ｅに接触する第２側接触部４２ｆとを備えている。
【００３１】
第１のクリップ片４２ａの基本的構成は、第１の実施形態と同様である。但し、本実施形態における第１のクリップ片４２ａは、長手方向の中央部近傍であって第２のクリップ片４２ｂ側にて支持部４２ｄによって支持された状態となっている。
第２のクリップ片４２ｂの基本的構成は、第１の実施形態と同様である。但し、本実施形態における第２のクリップ片４２ｂは、長手方向の中央部近傍であって第１のクリップ片４２ａ側にて支持部４２ｄによって支持された状態となっている。
【００３２】
付勢部材の一例としてのコイルスプリング４２ｃは、第１のクリップ片４２ａの他端部側、第２のクリップ片４２ｂの他端部側、且つ、第１のクリップ片４２ａと第２のクリップ片４２ｂとの間に設けられている。また、コイルスプリング４２ｃは、着脱可能（交換可能）な状態で設けられている。さらに、コイルスプリング４２ｃは、上記他端部側において両クリップ片を内側から押圧している。このため、本実施形態におけるクリップ４０は、一端部側に配置された第１側接触部４２ｅと第２側接触部４２ｆとの間に押圧力が作用する状態となっている。
支持部４２ｄは、円柱状に形成されるとともにキャップ本体部３０の外周面から突出するように配置されている。また、この支持部４２ｄは、第１のクリップ片４２ａおよび第２のクリップ片４２ｂに形成された貫通孔に貫通配設されるとともに、第１のクリップ片４２ａおよび第２のクリップ片４２ｂを回転可能な状態で支持している。
【００３３】
本実施形態における筆記具１が表紙６１（図２参照）に固定される場合、まず第１のクリップ片４２ａおよび第２のクリップ片４２ｂの他端部側がユーザ等により押圧される。この結果、第１側接触部４２ｅと第２側接触部４２ｆとが互いに離れる状態となる。そして、この状態にて、第１側接触部４２ｅと第２側接触部４２ｆとの間に表紙６１が配置される。その後、ユーザ等による押圧が解除され、表紙６１が、第１側接触部４２ｅ、第２側接触部４２ｆを介し、第１のクリップ片４２ａ、第２のクリップ片４２ｂとによって挟み込まれる。
【００３４】
本実施形態では、第１のクリップ片４２ａ自身および第２のクリップ片４２ｂ自身が有する弾性復元力に加え、コイルスプリング４２ｃからの弾性復元力も、第１側接触部４２ｅ、第２側接触部４２ｆに作用する。このため、被固定体に対する筆記具１の固定力を向上させることができる。更に、本実施形態では、コイルスプリング４２ｃを交換可能としているため、ユーザ自身によって押圧力を調整することが可能となる。また、製造するメーカー側も、様々な固定力を有した筆記具を簡易に製造することができる。
【００３５】
なお、滑りやずれを防止し被固定体に対する筆記具１の固定を安定化させるため、第１側接触部４２ｅの表面や第２側接触部４２ｆの表面に、抑制部の一例としての突起や凹部を設けることが好ましい。
例えば、図３（ａ）のＤ−Ｄ線における断面を示した図３（ｃ）のように、第１側接触部４２ｅの表面および第２側接触部４２ｆの表面に、突起および凹部を設けることが好ましい。なお、本図における各々の突起および各々の凹部は、第１のクリップ片４２ａおよび第２のクリップ片４２ｂの短手方向（筆記具１の軸方向に直交する方向）に沿って形成されている。
【００３６】
また、例えば、図３（ｂ）のＥ−Ｅ線における断面を示した図３（ｄ）のように、第１側接触部４２ｅの表面および第２側接触部４２ｆの表面に突起および凹部を設けることが好ましい。なお、本図における各々の突起および各々の凹部は、第１のクリップ片４２ａおよび第２のクリップ片４２ｂの長手方向（筆記具１の軸方向）に沿って形成されている。なお、突起や凹部は、このような形状に限定されず、例えば散点状に形成することもできる。また、その数も限定されず、１つでもよいし複数でもよい。
【００３７】
−第３の実施形態−
次に、第３の実施形態について説明する。ここで、図４は、第３の実施形態における筆記具１を示した図である。なお、図４（ａ）は、筆記具１の左側面図を示し、図４（ｂ）は、筆記具１の正面図を示している。また、第１の実施形態と同様の機能については、同様の符号を用いここではその説明を省略する。
【００３８】
本実施形態におけるクリップ４０は、第１の実施形態のように接続部４１ｃ（図１参照）を有さず、また、第２の実施形態のように支持部４２ｄ（図３参照）を有さず、第１のクリップ片４３ａと第２のクリップ片４３ｂとが互いに独立した状態となっている。付言すれば、第１のクリップ片４３ａと第２のクリップ片４３ｂとは別体（別部品）で構成されるとともに、別個にキャップ本体部３０に取り付けられた状態となっている。
【００３９】
詳細に説明すると、本実施形態におけるクリップ４０は、第１の実施形態と同様に、キャップ本体部３０の周方向において互いに対向配置された第１のクリップ片４３ａ、第２のクリップ片４３ｂを備えている。
第１のクリップ片４３ａは、側方から見た場合に矩形状に形成されている。また、長手方向における中央部がキャップ本体部３０に固定された状態となっている。また、第１のクリップ片４３ａは、中央部を除き、キャップ本体部３０の外周面から離間した状態で配設されている。
【００４０】
さらに、第１のクリップ片４３ａは、図４（ｂ）に示すように、長手方向における中央部において第２のクリップ片４３ｂから離間して配設され、第２のクリップ片４３ｂとの間に間隙４３ｃを有している。また、第１のクリップ片４３ａは、曲げ加工が施されており、両端部に進むに従い第２のクリップ片４３ｂに接近し、両端部近傍にて第２のクリップ片４３ｂに接触している。さらに、第１のクリップ片４３ａは、第２のクリップ片４３ｂとの接触部から更に端部に進むに従い、第２のクリップ片４３ｂから離れるように湾曲している。
【００４１】
一方、第２のクリップ片４３ｂも、第１のクリップ片４３ａと同様に形成されており、矩形状に形成され、長手方向における中央部がキャップ本体部３０に固定されている。また、中央部を除き、キャップ本体部３０の外周面から離間した状態で配設されている。さらに、図４（ｂ）に示すように、長手方向における中央部において第１のクリップ片４３ａから離間して配設されている。また、曲げ加工が施されており、両端部に進むに従い第１のクリップ片４３ａに接近し両端部近傍にて第１のクリップ片４３ａに接触している。さらに、第１のクリップ片４３ａとの接触部から更に端部に進むに従い、第１のクリップ片４３ａから離れるように湾曲している。
【００４２】
本実施形態では、第１のクリップ片４３ａと第２のクリップ片４３ｂとが、両端部にて接触する結果、第１のクリップ片４３ａと第２のクリップ片４３ｂとが複数箇所にて接触する状態となっている。なお、複数の接触部は、キャップ本体部３０の一端部側から他端部側に向かう方向に沿って設けられている。より詳細には、複数の接触部は、キャップ本体部３０の軸方向に沿って設けられている。また、各接触部における接触面は、キャップ本体部３０の軸方向に沿って設けられている。
【００４３】
ここで、図４（ｃ）は、本実施形態における筆記具１を手帳６０に固定した状態を示している。本実施形態では、上述のとおり、第１のクリップ片４３ａと第２のクリップ片４３ｂとが別体（別部品）で構成されるとともに、第１のクリップ片４３ａと第２のクリップ片４３ｂは、別個にキャップ本体部３０に取り付けられた状態となっている。このため、手帳６０の側部６２に沿ってスライド可能となり、表紙６１における上縁部６４と下縁部６５との間に筆記具１を配置することができる。
【００４４】
ここで、図５は、第３の実施形態の変形例を示した図である。
第１のクリップ片４３ａと第２のクリップ片４３ｂとを端部のみで接触させるのではなく、図５（ａ）に示すように、端部以外にも接触部４３ｅ，４３ｆを設けることができる。即ち、第１のクリップ片４３ａと第２のクリップ片４３ｂとを、端部で接触させるとともに、端部以外の箇所で接触させることができる。
また、図５（ｂ）に示すように、第１のクリップ片４３ａと第２のクリップ片４３ｂとの接触箇所に、ゴムシートなどで構成された滑り止め部材４３ｇを設けることができる。
【００４５】
さらには、図５（ａ）のＦ−Ｆ線における断面を示した図５（ｃ）のように、第１のクリップ片４３ａのうち、被固定体の挿入が開始される側且つ第２のクリップ片４３ｂと対向する側に、面取りを施すこともできる。なお、第２のクリップ片４３ｂに対しても同様に面取りを施すことができる。
また、図５（ｄ）に示すように、第１のクリップ片４３ａのうち被固定体の挿入が開始される側を第２のクリップ片４３ｂから離れるように湾曲させることができる。同様に、第２のクリップ片４３ｂのうち被固定体の挿入が開始される側を第１のクリップ片４３ａから離れるように湾曲させることができる。
【００４６】
―第４の実施形態―
ここで、図６は、第４の実施形態およびその変形例を示している。
図６（ａ）は、第４の実施形態におけるキャップ２０の左側面図および正面図を示している。キャップ本体部３０に対するクリップ４０の形成方法であるが、第１のクリップ片４４ａおよび第２のクリップ片４４ｂのうちの少なくとも一方を、キャップ本体部３０と一体に形成することが可能である。図６（ａ）においては、第２のクリップ片４４ｂをキャップ本体部３０と一体に形成し、第２のクリップ片４４ｂの上端部に第１のクリップ片４４ａを圧入で固定している。なお、第１のクリップ片４４ａ、第２のクリップ片４４ｂの両者を、キャップ本体部３０と一体に形成することももちろん可能である。
【００４７】
また、図６（ｂ）に示すように、第１のクリップ片４４ａと第２のクリップ片４４ｂとをキャップ本体部３０の中心軸Ｇ−Ｇを中心に対称に配置するのではなく、中心軸Ｇ−Ｇからずらして配置することも可能である。この場合、図６（ｃ）に示すように、手帳６０からの筆記具１の突出量Ｈを更に抑えることが可能となる。また、全体の厚みＷも更に抑えることができる。
【００４８】
なお、上述の実施形態においては、キャップ本体部３０にクリップ４０を設けた例を説明したが、本体部１０（図１参照）に対してクリップ４０を設けることもできる。また、ノック式の筆記具などキャップを備えない筆記具に対しても適用することができる。さらに、以上の構成は、本発明の趣旨を逸脱しない限り、互いに組み合わせることができる。
【図面の簡単な説明】
【００４９】
【図１】本発明が適用される筆記具の全体構成を示す図である。
【図２】筆記具を手帳に取り付けた場合の状態を示している。（ａ）は、本実施形態における筆記具を手帳に取り付けた場合の左側面図等を示し、（ｂ）は、従来の筆記具を手帳に取り付けた場合の左側面図等を示している。
【図３】第２の実施形態における筆記具を示した図である。
【図４】第３の実施形態における筆記具を示した図である。
【図５】第３の実施形態の変形例を示した図である。
【図６】第４の実施形態およびその変形例を示している。
【符号の説明】
【００５０】
１…筆記具、１０…本体部、２０…キャップ、２１…間隙、３１…筒状部、４０…クリップ、４２ｃ…コイルスプリング、４１ａ，４２ａ，４３ａ，４４ａ…第１のクリップ片、４１ｂ，４２ｂ，４３ｂ，４４ｂ…第２のクリップ片、６１…表紙、６２…側部、６３…端面
【図１】
2009045853.tif 000003
【図２】
2009045853.tif 000004
【図３】
2009045853.tif 000005
【図４】
2009045853.tif 000006
【図５】
2009045853.tif 000007
【図６】
2009045853.tif 000008